(57)【特許請求の範囲】
【請求項１】
バッテリから供給される第１の電源を第２の電源に変換する変換部と、
アンテナにより受信された第１の周波数帯の無線信号を増幅する第１の増幅器と、
前記第２の電源を第１の電流制限抵抗を介して供給され、第２の周波数帯のローカル信号を増幅する第２の増幅器と、
前記第１の増幅器の出力を前記第２の増幅器の出力により第３の周波数帯に変換するミキサと、
前記ミキサからの出力を増幅する第３の増幅器と
を具備し、
前記第１の増幅器または前記第３の増幅器の一方は前記第２の電源を第２の電流制限抵抗を介して供給され、他方は前記第２の増幅器に供給された電源からカスケード接続によりアイソレーションを確保するためのＬＣフィルタと第３の電流制限抵抗とを介して電源を供給されることを特徴とする無線受信機。
【発明の詳細な説明】
【技術分野】
【０００１】
この発明は、携帯型の無線受信機に関する。
【背景技術】
【０００２】
携帯型の無線受信機において、バッテリライフ延長の要求が高まっている。図３に、従来技術による無線受信機の一般的な構成を示す。図３において、バッテリ１から供給される第１の電源を電圧変換部２で変換した第２の電源により動作する各機能ブロック（ＬＮＡ８、ローカルアンプ７およびＩＦアンプ１１）は、相互の干渉を避ける為、各機能ブロック毎に第２の電源に接続されている。また、バッテリライフの延長を目的として、受信部の受信電流及び待機電流を低減する為、各ブロックの電圧が第２の電源による電圧よりも低くとも動作可能な事より、各機能ブロック毎に電流制限抵抗を用いて消費電流を低減していた。
【先行技術文献】
【特許文献】
【０００３】
【特許文献１】特開２０１１−１５１１２号公報
【発明の概要】
【発明が解決しようとする課題】
【０００４】
バッテリライフ延長の要求に対し、従来の回路構成では更なる延長実現が困難な為、解決策として、複数の機能ブロックをカスケードに接続する方法があるが、各機能ブロック毎に対応する信号のレベル、周波数が異なる為、相互に干渉し、性能劣化が生ずる問題点があった。
この発明は上記事情に着目してなされたもので、その目的とするところは、性能劣化することなく、バッテリライフ延長を実現する無線受信機を提供することにある。
【課題を解決するための手段】
【０００５】
上記目的を達成するためにこの発明に係る無線受信機の一態様は、バッテリから供給される第１の電源を第２の電源に変換する変換部と、アンテナにより受信された第１の周波数帯の無線信号を増幅する第１の増幅器と、前記第２の電源を第１の電流制限抵抗を介して供給され、第２の周波数帯のローカル信号を増幅する第２の増幅器と、前記第１の増幅器の出力を前記第２の増幅器の出力により第３の周波数帯に変換するミキサと、前記ミキサからの出力を増幅する第３の増幅器とを具備し、前記第１の増幅器または前記第３の増幅器の一方は前記第２の電源を第２の電流制限抵抗を介して供給され、他方は前記第２の増幅器に供給された電源からカスケード接続によりアイソレーションを確保するためのＬＣフィルタと第３の電流制限抵抗とを介して電源を供給されるものである。
【０００６】
このように構成することにより、各増幅器に対応する信号のレベル、周波数帯が異なる場合であっても、相互干渉が原因となる性能劣化を生じさせることなく、カスケード接続することが可能となる。複数の機能ブロックをカスケードに接続し、消費電流を半減させることで、低消費電流化が可能となり、無線受信機のバッテリライフ延長を実現することが可能となる。
【発明の効果】
【０００７】
すなわちこの発明によれば、性能劣化することなく、バッテリライフ延長を実現する無線受信機を提供することができる。
【図面の簡単な説明】
【０００８】
【図１】本発明の第１実施形態に係る無線受信機の回路構成図。
【図２】本発明の第２実施形態に係る無線受信機の回路構成図。
【図３】従来の無線受信機の回路構成図。
【発明を実施するための形態】
【０００９】
以下、図面を参照してこの発明に係る実施形態を説明する。  
（第１実施形態）  
図１は、本発明の第１実施形態に係る無線受信機の回路構成図である。  
第１実施形態の無線受信機は、バッテリ１、電圧変換部２、アンテナ３、ＢＰＦ（Band Pass Filter）４、ローカルアンプ７（第２の増幅器）、ＬＮＡ（Low Noise Amplifier）８（第１の増幅器）、ミキサ９、ＢＰＦ１０、ＩＦ（Intermediate Frequency）アンプ１１（第３の増幅器）、電流制限抵抗１２（第２の電流制限抵抗）、電流制限抵抗１３（第１の電流制限抵抗）、電流制限抵抗１４（第３の電流制限抵抗）、およびアイソレーション部１５を備える。
【００１０】
電圧変換部２は、バッテリ１から供給される第１の電源を第２の電源に変換する。アンテナ３により受信された第１の周波数帯の無線信号は、ＢＰＦ４で帯域制限処理が施され、ＬＮＡ８へ出力される。ＬＮＡ８は、ＢＰＦ４を通過した信号を選択および増幅してミキサ９に出力する。ローカルアンプ７は、第２電源を電流制限抵抗１３を介して供給され、第２の周波数帯のローカル信号を増幅する。
【００１１】
ミキサ９は、ＬＮＡ８の出力をローカルアンプ７で増幅されたローカル信号により第３の周波数帯に周波数変換する。ミキサ９の出力は、ＢＰＦ１０により帯域制限処理が施された後に、ＩＦアンプ１１へ出力される。ＩＦアンプ１１は、第２電源を電流制限抵抗１２を介して供給され、ＢＰＦ１０を通過した信号を復調可能なレベルまで増幅してＩＦ信号として出力する。
【００１２】
ここで、ＬＮＡ８は、ローカルアンプ７に供給された電源からカスケード接続によりアイソレーション部１５と電流制限抵抗１４とを介して電源を供給される。アイソレーション部１５は、ローカルアンプ７とＬＮＡ８の特性に合わせて最適化した特性を有する。なお、アイソレーション部１５にローカルアンプ７とＬＮＡ８の特性に合わせて最適化した素子定数のＬＣフィルタで構成すれば、アイソレーションモジュール等で各機能ブロックのアイソレーションを確保する方法と比較して回路規模増大によるコスト増加とならない構成とすることができる。これにより、ローカルアンプ７とＬＮＡ８をカスケードに接続することによる相互干渉が原因となる特性劣化を防止し、回路規模増大によるコスト増加とならない構成とすることができる。
【００１３】
したがって、第１実施形態によれば、ローカルアンプ７とＬＮＡ８を相互干渉が要因となる特性劣化を防止してカスケードに接続することが可能となり、消費電流を半減させることで、低消費電流化が可能となり、無線受信機のバッテリライフ延長を実現することが可能となる。
（第２実施形態）  
図２は、本発明の第２実施形態に係る無線受信機の回路構成図である。  
第２実施形態の無線受信機は、バッテリ１、電圧変換部２、アンテナ３、ＢＰＦ４、ローカルアンプ７（第２の増幅器）、ＬＮＡ８（第１の増幅器）、ミキサ９、ＢＰＦ１０、ＩＦアンプ１１（第３の増幅器）、電流制限抵抗６（第２の電流制限抵抗）、電流制限抵抗１６（第１の電流制限抵抗）、電流制限抵抗１７（第３の電流制限抵抗）、およびアイソレーション部１８を備える。なお、上記第１実施形態の図１と同一の部分には同一符号を付し、詳しい説明を省略する。
【００１４】
第２実施形態では、ＬＮＡ８には第２電源を電流制限抵抗６を介して供給し、ローカルアンプ７とＩＦアンプ１１との間をアイソレーション部１８と電流制限抵抗１７とを介してカスケードに接続することで、ローカルアンプ７とＩＦアンプ１１との間の相互干渉が原因となる特性劣化を防止し低消費電流化を実現する。アイソレーション部１８は、ローカルアンプ７とＩＦアンプ１１の特性に適するように素子定数を最適化したＬＣフィルタで構成することで、回路規模増大によるコスト増加とならない構成とすることができる。
【００１５】
すなわち、上記各実施形態によれば、携帯型の無線受信機において、性能劣化させることなく、さらに、回路規模増大によりコストが増加することなく、受信部の待機電流に影響する機能ブロックの消費電流を半減化することで、低消費電流化し、バッテリライフ延長を実現することができる。
【００１６】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００１７】
１…バッテリ、２…電圧変換部、３…アンテナ、４…バンドパスフィルタ（ＢＰＦ）、７…ローカルアンプ、８…ＬＮＡ（Low Noise Amplifier）、９…ミキサ、１０…バンドパスフィルタ（ＢＰＦ）、１１…ＩＦ（Intermediate Frequency）アンプ、１２…電流制限抵抗、１３…電流制限抵抗、１４…電流制限抵抗、１５…アイソレーション部、６…電流制限抵抗、１６…電流制限抵抗、１７…電流制限抵抗、１８…アイソレーション部。
【図１】
0005848974.tif 000002
【図２】
0005848974.tif 000003
【図３】
0005848974.tif 000004